(57)【要約】【課題】高速記録の際にも記録系の遅れ時間の影響を受けることなく且つ照射時間及び冷却時間の時間分解能を上げることなく、正確な記録マークの形成を行うことができるようにする。【解決手段】ディジタルＬＳＩ２１は、記録データにより記録マークを形成しない照射強度でＬＤ２４を変調させ、ＬＤ２４をモニターするＡＦＥ２９等の出力と記録データとの遅延時間を保持し、その遅延時間だけ遅らせてＡＦＥ２９等の出力をサンプリングしてＬＤ２４の光強度を制御するので、高速に記録する場合の光源変調タイミングから光出力モニター出力までの遅れ時間の影響を無くすことができる。【選択図】      図５
2004273049.tif 000002
【特許請求の範囲】
【請求項１】
光源を記録データに基づいて所定の光強度で発光させて複数のパルス列の光を発生させ、その発生させた光を記録媒体に照射して前記記録データに対応する記録マークを形成する光情報記録装置において、
前記光源の発光する光を前記記録データに基づく光強度で変調させてその光強度をモニタし、そのモニタ結果を出力するモニタ手段と、該モニタ手段からのモニタ結果の出力と前記記録データの出力との間の遅延時間を検出する遅延時間検出手段と、前記モニタ手段からのモニタ結果の出力を前記遅延時間検出手段によって検出された遅延時間だけ遅らせてサンプリングし、そのサンプリング結果に基づいて前記光源に発光させる光の光強度を制御する光強度制御手段とを設けたことを特徴とする光情報記録装置。
【請求項２】
光源を記録データに基づいて所定の光強度で発光させて複数のパルス列の光を発生させ、その発生させた光を記録媒体に照射して前記記録データに対応する記録マークを形成する光情報記録装置において、
前記光源の発光する光を前記記録データに基づく光強度で変調させてその光強度をモニタし、そのモニタ結果を出力するモニタ手段と、該モニタ手段からのモニタ結果の出力と前記記録データの出力との間の最小遅延時間を検出する最小遅延時間検出手段と、前記モニタ手段からのモニタ結果の出力を前記最小遅延時間検出手段によって検出された最小遅延時間だけ遅らせてサンプリングし、そのサンプリング結果に基づいて前記光源に発光させる光の光強度を制御する光強度制御手段とを設けたことを特徴とする光情報記録装置。
【請求項３】
光源を記録データに基づいて所定の光強度で発光させて複数のパルス列の光を発生させ、その発生させた光を記録媒体に照射して前記記録データに対応する記録マークを形成する光情報記録装置において、
前記光源の発光する光を前記記録データに基づく光強度で変調させてその変調させた光を前記記録媒体に照射し、その照射した光の前記記録媒体からの反射光の光強度を検出する反射光強度検出手段と、該反射光強度検出手段による検出結果の出力と前記記録データの出力との間の遅延時間を検出する遅延時間検出手段と、前記記録データを前記遅延時間検出手段によって検出された遅延時間だけ早めて出力する制御手段とを設けたことを特徴とする光情報記録装置。
【請求項４】
光源を記録データに基づいて所定の光強度で発光させて複数のパルス列の光を発生させ、その発生させた光を記録媒体に照射して前記記録データに対応する記録マークを形成する光情報記録装置において、
前記光源の発光する光を前記記録データに基づく光強度で変調させてその変調させた光を前記記録媒体に照射し、その照射した光の前記記録媒体からの反射光の光強度を検出する反射光強度検出手段と、該反射光強度検出手段による検出結果の出力と前記記録データを順次遅延させた遅延データの出力との間の最小遅延時間を検出する最小遅延時間検出手段と、前記記録データを前記最小遅延時間検出手段によって検出された最小遅延時間だけ早めて出力する制御手段とを設けたことを特徴とする光情報記録装置。
【請求項５】
請求項１乃至４のいずれか一項に記載の光情報記録装置において、
前記遅延時間の刻みは、前記光源をパルス列で発光させる為のタイミングパルスであることを特徴とする光情報記録装置。
【請求項６】
請求項１乃至５のいずれか一項に記載の光情報記録装置において、
前記パルス列の少なくとも一部のパルスの立ち上がり近傍後に所定パワーのパルスを所定時間付加し、その付加したパルスの幅を調整することによって前記記録マークの形成を制御する手段を設けたことを特徴とする光情報記録装置。
【請求項７】
請求項２又は４記載の光情報記録装置において、
前記最小遅延時間検出手段による最小遅延時間の検出を前記記録媒体への記録マークの記録前に行うようにしたことを特徴とする光情報記録装置。
【請求項８】
光源を記録データに基づいて所定の光強度で発光させて複数のパルス列の光を発生させ、その発生させた光を記録媒体に照射して前記記録データに対応する記録マークを形成する光情報記録方法において、
前記光源の発光する光を前記記録データに基づく光強度で変調させてその光強度をモニタし、そのモニタ結果を出力し、そのモニタ結果の出力と前記記録データの出力との間の遅延時間を検出し、前記モニタ結果の出力を前記遅延時間だけ遅らせてサンプリングし、そのサンプリング結果に基づいて前記光源に発光させる光の光強度を制御することを特徴とする光情報記録方法。
【請求項９】
光源を記録データに基づいて所定の光強度で発光させて複数のパルス列の光を発生させ、その発生させた光を記録媒体に照射して前記記録データに対応する記録マークを形成する光情報記録方法において、
前記光源の発光する光を前記記録データに基づく光強度で変調させてその光強度をモニタし、そのモニタ結果を出力し、そのモニタ結果の出力と前記記録データの出力との間の最小遅延時間を検出し、前記モニタ結果の出力を前記最小遅延時間だけ遅らせてサンプリングし、そのサンプリング結果に基づいて前記光源に発光させる光の光強度を制御することを特徴とする光情報記録方法。
【請求項１０】
光源を記録データに基づいて所定の光強度で発光させて複数のパルス列の光を発生させ、その発生させた光を記録媒体に照射して前記記録データに対応する記録マークを形成する光情報記録方法において、
前記光源の発光する光を前記記録データに基づく光強度で変調させてその変調させた光を前記記録媒体に照射し、その照射した光の前記記録媒体からの反射光の光強度を検出し、その検出結果の出力と前記記録データの出力との間の遅延時間を検出し、前記記録データを前記遅延時間だけ早めて出力することを特徴とする光情報記録方法。
【請求項１１】
光源を記録データに基づいて所定の光強度で発光させて複数のパルス列の光を発生させ、その発生させた光を記録媒体に照射して前記記録データに対応する記録マークを形成する光情報記録方法において、
前記光源の発光する光を前記記録データに基づく光強度で変調させてその変調させた光を前記記録媒体に照射し、その照射した光の前記記録媒体からの反射光の光強度を検出し、その検出結果の出力と前記記録データを順次遅延させた遅延データの出力との間の最小遅延時間を検出し、前記記録データを前記最小遅延時間だけ早めて出力することを特徴とする光情報記録方法。
【請求項１２】
請求項８乃至１１のいずれか一項に記載の光情報記録方法において、
前記遅延時間の刻みは、前記光源をパルス列で発光させる為のタイミングパルスであることを特徴とする光情報記録方法。
【請求項１３】
請求項８乃至１２のいずれか一項に記載の光情報記録方法において、
前記パルス列の少なくとも一部のパルスの立ち上がり近傍後に所定パワーのパルスを所定時間付加し、その付加したパルスの幅を調整することによって前記記録マークの形成を制御することを特徴とする光情報記録方法。
【請求項１４】
請求項９又は１１記載の光情報記録方法において、
前記最小遅延時間検出手段による最小遅延時間の検出を前記記録媒体への記録マークの記録前に行うことを特徴とする光情報記録方法。
【発明の詳細な説明】
【０００１】
【発明の属する技術分野】
この発明は、ＣＤ−Ｒドライブ装置，ＣＤ−ＲＷドライブ装置，ＤＶＤ−Ｒドライブ装置，ＤＶＤ−ＲＷドライブ装置，ＤＶＤ＋ＲＷドライブ装置，ＤＶＤ−ＲＡＭドライブ装置などの情報記録装置に搭載される光源駆動装置等の光情報記録装置と、その光情報記録装置における光情報記録方法とに関する。
【０００２】
【従来の技術】
従来より、光ディスク装置においては、光源である半導体レーザ（ＬａｓｅｒＤｉｏｄｅ：ＬＤ）を変調した光を記録媒体（光ディスク）に照射して記録を行っている。
例えば、ＣＤ−ＲＷディスクやＤＶＤ＋ＲＷディスクなどに代表される相変化型の光ディスクでは、媒体を融点以上まで昇温させて、その媒体の持つ結晶化時間を超えないように急冷することにより、アモルファス状態、つまり記録マークを形成する。
したがって、正確にマーク形状や位置制御を行うためには、媒体への照射エネルギー，時間を正確に制御しなければならず、正確な光波形を生成し、正確なエネルギー照射をする必要がある。
【０００３】
高速記録においては、光波形の立ち上がり／立ち下がり特性は特に重要な項目となる。また、ＣＤ−ＲディスクやＤＶＤ＋Ｒディスクなどに代表される色素系追記型の光ディスクでは、光照射による熱分解やそれに伴う基板変形による光学的変化を生じさせることにより記録マークを形成する。
したがって、このような色素系追記型の光ディスクも同様に、正確にマーク形状や位置制御を行うためには、正確な光波形を生成する必要がある。
また、ＭＯやＭＤなどに代表される光磁気媒体でも、キュリー点近傍での磁化の反転を利用しており、同様である。
すなわち、いずれの記録媒体においても記録層に光を照射することによって所定の臨界温度以上に昇温させて、物理的または化学的変化をさせて記録データの記録を行っている。
そのため、記録媒体への照射エネルギー、つまり照射パワー及び照射時間を正確に制御することが重要になる。
【０００４】
また、ＣＤやＤＶＤなどの多くの光ディスクの記録方法においては、高密度化に適したマークの長さが情報を担うマークエッジ記録が採用されており、正確にデータを再生するためにはマークの形状やエッジ位置の正確な制御が必要となっている。
さらには、マーク長が異なっても一様にマーク形状を整えるため、複数の記録パルスに分割したパルス列で記録マークを形成するマルチパルス記録方法が広く用いられている。
すなわち、加熱，冷却のサイクルを繰り返してマークを繋げて形成することによって一様な長さの記録マークを形成するものである。この方法は色素系追記型の記録媒体でも適用されている。
【０００５】
以下の説明では、記録媒体を昇温させるための高パワーでの照射を行うパルスを加熱パルスと称し、温度上昇をさせないように（急冷させるように）低パワーでの照射を行うパルスを冷却パルスと称する。
このため、従来の光情報記録装置では、照射光の時間分解能を向上させて、マーク位置制御を行っている。例えば、相変化型媒体では照射エネルギーの精度と共に急冷を行うための冷却時間の精度も必要となり、照射時間及び冷却時間を補正するようにして記録している（例えば、特許文献１参照）。
【０００６】
【特許文献１】
特開平８−２８７４６５号公報
【０００７】
【発明が解決しようとする課題】
しかしながら、近年の高速記録化の要求に伴い、高速な光変調が求められており、記録品質を保ったまま高速記録化するには照射時間及び冷却時間の時間分解能をより向上させなければならない。
例えば、従来の方法でＤＶＤ１０倍速記録をするには、約１００ｐｓもの分解能が必要とされる。
従って、従来の方法で高速記録化を行うには、実現が困難であったり、大幅なコストアップを招いてしまう。
また、以下に説明するように、照射光の光波形の立ち上がり／立ち下がりの遅れ（なまり）により、適正な加熱・冷却が行われず、マーク形状やマークの位置の精度が損なわれるという問題もある。
【０００８】
図１０は、従来の光源駆動装置における光源を駆動する場合の問題を説明する図である。また、図１１はこの時の光波形の一例を示す図である。
なお、ＬＤ駆動部２０１は駆動電流を供給する電流源以外は図示を省略する。
光源であるレーザダイオード（ＬＤ）は通常、アノード（Ａｎｏｄｅ）・カソード（Ｃａｔｈｏｄｅ）間に接合容量を有する（加えて寄生容量も生じる）。２０３はこの接合容量を考慮した簡便なＬＤ等価モデルである。ＣＬＤは接合容量（寄生容量も含む）、ｒはオン抵抗、ＬＤｉは理想ＬＤである。
【０００９】
この接合容量があると、所定の駆動電流ＩＬＤを急峻な立ち上がり／立ち下がりでＬＤに流しても（図１１の（ａ）参照）、一部の電流は接合容量の充放電電流Ｉｃとして流れるため、理想ＬＤ（ＬＤｉ）にはこの充放電の間、電流の過不足が生じ、ＬＤｉを流れる電流の立ち上がり／立ち下がり時間は遅くなり、実際の光出力波形の立ち上がり／立ち下がり時間が遅くなり（なまり）、所望の光波形で発光させることができなくなる（図１１の（ｂ）参照）。
これにより、マーク形状やマークの位置の精度がそこなわれ結果としてデータエラーの原因となる。
【００１０】
特に、高速記録する際は高出力なＬＤが必要となるが、一般に高出力ＬＤは接合容量が大きく、さらには高速な立ち上がり／立ち下がりが要求されるため、この問題は顕著である。
さらに，記録速度が増大すると記録すべきデータを示す信号とレーザが発光した光強度をモニタするモニタ信号との間の時間遅れによるモニタ信号をサンプリングするタイミングがずれてしまい、正しくサンプリングできなくなってしまう。また、同様にメディア面にレーザ光が照射された後ディスク面から反射されて検出系によって検出するまでの時間遅れが最小マークサイズに比べて無視できないようになってきてしまう。
これは、例えばマークの刻みを表すクロックをチャンネルクロックとしたとき追記する場合には、少なくとも５チャンネルクロックの精度で追記すべきマークを記録する必要があるが、検出系の遅れ時間のために既記録マークに対して記録系の遅れ時間のずれ分だけマークがずれて記録せざるを得なくなってしまう。
【００１１】
この発明は上記の課題を解決するためになされたものであり、高速記録の際にも記録系の遅れ時間の影響を受けることなく且つ照射時間及び冷却時間の時間分解能を上げることなく、正確な記録マークの形成を行うことができるようにすることを目的とする。
また、ＬＤの接合容量などによる光波形の立ち上がり／立ち下がりの遅れ（なまり）を抑制して所望の光波形で発光させより高精度に記録マークを形成することができるようにすることを目的とする。
【００１２】
【課題を解決するための手段】
この発明は上記の目的を達成するため、次の（１）〜（７）の光情報記録装置を提供する。
（１）光源を記録データに基づいて所定の光強度で発光させて複数のパルス列の光を発生させ、その発生させた光を記録媒体に照射して上記記録データに対応する記録マークを形成する光情報記録装置において、上記光源の発光する光を上記記録データに基づく光強度で変調させてその光強度をモニタし、そのモニタ結果を出力するモニタ手段と、そのモニタ手段からのモニタ結果の出力と上記記録データの出力との間の遅延時間を検出する遅延時間検出手段と、上記モニタ手段からのモニタ結果の出力を上記遅延時間検出手段によって検出された遅延時間だけ遅らせてサンプリングし、そのサンプリング結果に基づいて上記光源に発光させる光の光強度を制御する光強度制御手段を設けた光情報記録装置。
【００１３】
（２）光源を記録データに基づいて所定の光強度で発光させて複数のパルス列の光を発生させ、その発生させた光を記録媒体に照射して上記記録データに対応する記録マークを形成する光情報記録装置において、上記光源の発光する光を上記記録データに基づく光強度で変調させてその光強度をモニタし、そのモニタ結果を出力するモニタ手段と、そのモニタ手段からのモニタ結果の出力と上記記録データの出力との間の最小遅延時間を検出する最小遅延時間検出手段と、上記モニタ手段からのモニタ結果の出力を上記最小遅延時間検出手段によって検出された最小遅延時間だけ遅らせてサンプリングし、そのサンプリング結果に基づいて上記光源に発光させる光の光強度を制御する光強度制御手段を設けた光情報記録装置。
【００１４】
（３）光源を記録データに基づいて所定の光強度で発光させて複数のパルス列の光を発生させ、その発生させた光を記録媒体に照射して上記記録データに対応する記録マークを形成する光情報記録装置において、上記光源の発光する光を上記記録データに基づく光強度で変調させてその変調させた光を上記記録媒体に照射し、その照射した光の上記記録媒体からの反射光の光強度を検出する反射光強度検出手段と、その反射光強度検出手段による検出結果の出力と上記記録データの出力との間の遅延時間を検出する遅延時間検出手段と、上記記録データを上記遅延時間検出手段によって検出された遅延時間だけ早めて出力する制御手段を設けた光情報記録装置。
【００１５】
（４）光源を記録データに基づいて所定の光強度で発光させて複数のパルス列の光を発生させ、その発生させた光を記録媒体に照射して上記記録データに対応する記録マークを形成する光情報記録装置において、上記光源の発光する光を上記記録データに基づく光強度で変調させてその変調させた光を上記記録媒体に照射し、その照射した光の上記記録媒体からの反射光の光強度を検出する反射光強度検出手段と、その反射光強度検出手段による検出結果の出力と上記記録データを順次遅延させた遅延データの出力との間の最小遅延時間を検出する最小遅延時間検出手段と、上記記録データを上記最小遅延時間検出手段によって検出された最小遅延時間だけ早めて出力する制御手段を設けた光情報記録装置。
【００１６】
（５）（１）乃至（４）のいずれかの光情報記録装置において、上記遅延時間の刻みを、上記光源をパルス列で発光させる為のタイミングパルスにした光情報記録装置。
（６）（１）乃至（５）のいずれかの光情報記録装置において、上記パルス列の少なくとも一部のパルスの立ち上がり近傍後に所定パワーのパルスを所定時間付加し、その付加したパルスの幅を調整することによって上記記録マークの形成を制御する手段を設けた光情報記録装置。
（７）（２）又は（４）の光情報記録装置において、上記最小遅延時間検出手段による最小遅延時間の検出を上記記録媒体への記録マークの記録前に行うようにした光情報記録装置。
【００１７】
また、次の（８）〜（１４）の光情報記録方法も提供する。
（８）光源を記録データに基づいて所定の光強度で発光させて複数のパルス列の光を発生させ、その発生させた光を記録媒体に照射して上記記録データに対応する記録マークを形成する光情報記録方法において、上記光源の発光する光を上記記録データに基づく光強度で変調させてその光強度をモニタし、そのモニタ結果を出力し、そのモニタ結果の出力と上記記録データの出力との間の遅延時間を検出し、上記モニタ結果の出力を上記遅延時間だけ遅らせてサンプリングし、そのサンプリング結果に基づいて上記光源に発光させる光の光強度を制御する光情報記録方法。
【００１８】
（９）光源を記録データに基づいて所定の光強度で発光させて複数のパルス列の光を発生させ、その発生させた光を記録媒体に照射して上記記録データに対応する記録マークを形成する光情報記録方法において、上記光源の発光する光を上記記録データに基づく光強度で変調させてその光強度をモニタし、そのモニタ結果を出力し、そのモニタ結果の出力と上記記録データの出力との間の最小遅延時間を検出し、上記モニタ結果の出力を上記最小遅延時間だけ遅らせてサンプリングし、そのサンプリング結果に基づいて上記光源に発光させる光の光強度を制御する光情報記録方法。
【００１９】
（１０）光源を記録データに基づいて所定の光強度で発光させて複数のパルス列の光を発生させ、その発生させた光を記録媒体に照射して上記記録データに対応する記録マークを形成する光情報記録方法において、上記光源の発光する光を上記記録データに基づく光強度で変調させてその変調させた光を上記記録媒体に照射し、その照射した光の上記記録媒体からの反射光の光強度を検出し、その検出結果の出力と上記記録データの出力との間の遅延時間を検出し、上記記録データを上記遅延時間だけ早めて出力する光情報記録方法。
【００２０】
（１１）光源を記録データに基づいて所定の光強度で発光させて複数のパルス列の光を発生させ、その発生させた光を記録媒体に照射して上記記録データに対応する記録マークを形成する光情報記録方法において、上記光源の発光する光を上記記録データに基づく光強度で変調させてその変調させた光を上記記録媒体に照射し、その照射した光の上記記録媒体からの反射光の光強度を検出し、その検出結果の出力と上記記録データを順次遅延させた遅延データの出力との間の最小遅延時間を検出し、上記記録データを上記最小遅延時間だけ早めて出力する光情報記録方法。
【００２１】
（１２）（８）乃至（１１）のいずれかの光情報記録方法において、上記遅延時間の刻みを、上記光源をパルス列で発光させる為のタイミングパルスにした光情報記録方法。
（１３）（８）乃至（１２）のいずれかの光情報記録方法において、上記パルス列の少なくとも一部のパルスの立ち上がり近傍後に所定パワーのパルスを所定時間付加し、その付加したパルスの幅を調整することによって上記記録マークの形成を制御する光情報記録方法。
（１４）（９）又は（１１）の光情報記録方法において、上記最小遅延時間検出手段による最小遅延時間の検出を上記記録媒体への記録マークの記録前に行う光情報記録方法。
【００２２】
【発明の実施の形態】
以下、この発明の実施形態を図面に基づいて具体的に説明する。
図１は本発明の第一の実施形態である光源駆動装置の構成を示すブロック図である。
図２は図１に示す光源駆動装置の各部信号の波形図の一例であり、本実施形態の記録方法を説明する図である。
図１の光源駆動部１は、光源であるレーザダイオード（ＬＤ）の照射レベルＰ０，Ｐ１，Ｐ２を設定する照射レベル設定部２と、記録データ信号Ｗｄａｔａと記録クロック信号ＷＣＫとからＬＤの変調信号Ｍｏｄ１，Ｍｏｄ２を生成する変調信号生成部４を備えている。
【００２３】
また、ＬＤの照射レベルＰ０，Ｐ１，Ｐ２にそれぞれ対応した照射レベルデータＰ０Ｄａｔａ，Ｐ１Ｄａｔａ，Ｐ２Ｄａｔａ及び変調信号Ｍｏｄ１，Ｍｏｄ２に基づいてＬＤ変調電流Ｉｍｏｄを生成する変調部３と、変調信号生成部４の生成する変調タイミング（変調信号Ｍｏｄ１，Ｍｏｄ２の立ち上がり／立ち下がりタイミングまたはその一部に対応する）に基づいて加熱パルスへの付加パワーを重畳するオーバーシュート電流Ｉｏｓ及び冷却パルスへの付加パワーを重畳するアンダーシュート電流Ｉｕｓを生成する付加電流生成部１８と（以下，Ｉｏｓ及びＩｕｓを付加電流と総称する）、ＬＤの出射光の一部をモニタするモニタ受光部ＰＤからのモニタ受光信号が入力され、そのモニタ受光信号に基づいてＬＤの出射光量が所望の値になるようにバイアス電流Ｉｂｉａｓ及び変調電流のスケールを指示するスケール信号Ｉｓｃｌを制御するＬＤ制御部７を備えている。
【００２４】
さらに、ＬＤ変調電流Ｉｍｏｄとバイアス電流Ｉｂｉａｓとを加算し、さらにオーバーシュート電流Ｉｏｓを加算してアンダーシュート電流Ｉｕｓを減算する加減算部５と、加減算部５から供給される電流ＩＬＤ′を増幅してＬＤの駆動電流ＩＬＤを供給する電流駆動部６と、光源駆動部１が搭載されるＣＤ−Ｒドライブ装置，ＣＤ−ＲＷドライブ装置，ＤＶＤ−Ｒドライブ装置，ＤＶＤ−ＲＷドライブ装置，ＤＶＤ＋ＲＷドライブ装置，ＤＶＤ−ＲＡＭドライブ装置などの情報記録装置（又は情報記録再生装置）全体を制御するコントローラ１９から供給される制御コマンドを受け各部へ制御信号を供給する制御部１７を備えている。
【００２５】
上記変調部３は、照射レベルデータＰ０Ｄａｔａ，Ｐ１Ｄａｔａ，Ｐ２Ｄａｔａに基づいてそれぞれ電流Ｉ０，Ｉ１，Ｉ２を供給する電流源８と（Ｐ０ＤＡＣ８ａ、Ｐ１ＤＡＣ８ｂ、Ｐ２ＤＡＣ８ｃからなる）、変調信号Ｍｏｄ１，Ｍｏｄ２に従ってそれぞれ電流Ｉ１，Ｉ２をオンオフ制御するスイッチ９ｂ，９ｃからなるスイッチ９と、スイッチ９の出力する各電流を加算してＬＤ変調電流Ｉｍｏｄを供給する加算部１０とから構成される。
【００２６】
また、付加電流生成部１８は、変調信号生成部４の生成する変調タイミングに基づいてオーバーシュート電流Ｉｏｓ及びアンダーシュート電流Ｉｕｓを重畳する期間を指定する付加信号（それぞれＭｏｄＯ，ＭｏｄＵ）を生成する付加信号生成部１１と、オーバーシュート電流Ｉｏｓ及びアンダーシュート電流Ｉｕｓの電流値Ｉ３，Ｉ４を設定し、その設定データＰ３Ｄａｔａ，Ｐ４Ｄａｔａを供給する付加パワー設定部１６と、オーバーシュート電流設定データＰ３Ｄａｔａまたはアンダーシュート電流設定データＰ４Ｄａｔａに基づいてそれぞれ電流Ｉ３，Ｉ４をそれぞれ供給する電流源Ｐ３ＤＡＣ１３ａ，Ｐ４ＤＡＣ１３ｂと、付加信号ＭｏｄＯ，ＭｏｄＵに従ってそれぞれ電流Ｉ３，Ｉ４をオンオフ制御してオーバーシュート電流Ｉｏｓ及びアンダーシュート電流Ｉｕｓを生成するスイッチ１４ａ，１４ｂと、オーバーシュート電流Ｉｏｓ及びアンダーシュート電流Ｉｕｓの付加時間を設定する付加時間設定部１５とから構成される。
【００２７】
なお、ＬＤ制御部７は公知技術を適用すればよいので、その詳細な構成と動作の説明は省略するが、バイアス電流ＩｂｉａｓはほぼＬＤの閾値電流Ｉｔｈになるように制御し、スケール信号ＩｓｃｌはＬＤの微分量子効率に応じて制御する。
【００２８】
図２は、図１の各主要信号の信号波形の一例を示す図である。
ここでは相変化型記録媒体への記録時の場合を例示しており、同図の（ｃ）に示す光波形が所望の光波形であり、その光波形の光の照射により同図の（ｄ）に示す記録マークが形成される。
同図の（ｃ）に示すＰｂ，Ｐｅ，Ｐｗはそれぞれボトムパワーレベル，イレースパワーレベル，ライトパワーレベルの各照射レベルであり、それぞれ電流ＩＬＤ′がＩｂｉａｓ＋Ｉ０，Ｉｂｉａｓ＋Ｉ０＋Ｉ１，Ｉｂｉａｓ＋Ｉ０＋Ｉ２になる照射レベルである。
【００２９】
つまり、照射レベルは電流値Ｉ０，Ｉ１，Ｉ２をそれぞれ設定する照射レベルデータＰ０Ｄａｔａ，Ｐ１Ｄａｔａ，Ｐ２Ｄａｔａにより決められる。
また、Ｐｗ２はライトパワーレベルＰｗにパワー付加した照射レベルであり、パワー付加分（Ｐｗ２−Ｐｗ）はＩ３に相当する。
同様に、Ｐｂ２はボトムパワーレベルＰｂからＩ４に相当するパワー分引いた照射レベルである。
そして、マルチパルス列のうち、先頭パルスＴＰとその次の冷却パルスにより同図の（ｄ）に示す記録マークの前縁部ａが、最終パルスＬＰとその次の冷却パルスにより同図の（ｄ）に示す記録マークの後縁部ｃが、中間パルスＭＰと次の冷却パルスでそれぞれ同図の（ｄ）に示す中間部ｂ１，ｂ２が形成されて、同図の（ｂ）に示す記録データ信号Ｗｄａｔａに対応するひとつの記録マークができる。
【００３０】
同図の（ｅ−１）に示す変調信号Ｍｏｄ１，同図の（ｅ−２）に示すＭｏｄ２は、変調信号生成部４において予め設定された所望の光波形の変調タイミングを指示する駆動波形情報に基づいて同図の（ｂ）に示す記録データ信号Ｗｄａｔａに対応して生成される。
同図の（ｆ−１）に示す付加信号ＭｏｄＯは、付加信号生成部１１において変調信号Ｍｏｄ１またはＭｏｄ２の立ち上がりに同期して付加時間設定部１５より指示されるオーバーシュート電流の付加時間（Ｔｏ１，Ｔｏ２，Ｔｏ３）だけ「ハイ（Ｈ）」になるように生成される。
付加時間（Ｔｏ１，Ｔｏ２，Ｔｏ３）は、それぞれＴＰ，ＭＰ，ＬＰへの付加時間を示す。これにより、オーバーシュート電流Ｉｏｓが生成されてＬＤ駆動電流に加算される。
【００３１】
同様にして、同図の（ｆ−２）に示す付加信号ＭｏｄＵは、変調信号Ｍｏｄ２の立ち下がりに同期して付加時間設定部１５より指示されるアンダーシュート電流の付加時間（Ｔｕ１，Ｔｕ２，Ｔｕ３）だけ「ハイ（Ｈ）」になるように生成される。
これら変調信号及び付加信号に従って駆動電流ＩＬＤが生成され、その駆動電流ＩＬＤに応じた光波形（同図の（ｄ））が得られる。
つまり、加熱パルスの立ち上がり時に付加パワーが加算され、加熱パルスの立ち下がり時に（冷却パルスの先頭に）付加パワー分減算された光波形になる。
【００３２】
図３は、図２で説明した付加パワーを加算した過熱パルスと照射エネルギーの関係を示す波形図である。
同図の（ａ）に示す光波形ａは付加パワーΔＰを加算しない場合の波形であり、光波形ｂ〜ｅは順次付加パワー幅を増加した波形である。
照射エネルギーは照射パワーを積分した値になるので、各光波形ａ〜ｅに対応する照射エネルギーは同図の（ｂ）に示すようになる。
また、光波形ｃ′，ｅ′は付加パワーを加えずに加熱パルス幅を変化させて照射エネルギーを調整したものである。それぞれ、光波形ｃ，ｅと同等の照射エネルギーを加える。上述したように記録マークの形成は照射光による昇温により行われるので、照射エネルギーの分解能を向上させることにより、媒体の熱変化も精度よく制御でき、精度よいマーク形成制御が可能になる。
【００３３】
つまり、本実施形態のように、加熱パルスに付加パワーを加算し、この付加パワー幅を調整することにより、パルス幅分解能を向上させることなく、照射エネルギーの分解能を向上させることができ、精度よいマーク形成制御が可能になる。これは、パルス幅分解能の向上が困難な高速記録時により好適に作用する。
同様にして、冷却パルスに付加パワーを減算することにより、冷却速度もより高精度に制御可能となり、より精度よいマーク形成制御が可能になる。
また、先頭パルスＴＰ，中間パルスＭＰ，最終パルスＬＰに付加する付加信号パルス幅（Ｔｏ１，Ｔｏ２，Ｔｏ３及びＴｕ１，Ｔｕ２，Ｔｕ３）をそれぞれ調整することにより、記録マークの前縁部、中間部、後縁部の形状をそれぞれ精度よく形成でき、一様に精度よい記録マークが形成できる。
【００３４】
ところで、記録媒体によっては熱伝導率が高く、畜熱効果により記録マークの形成に前後の記録マークから熱影響を受けエッジシフトを生じるものがあり、特に色素系追記型記録媒体ではこれが顕著である。
そこで、従来では記録マークの前後のスペース長に応じて、記録パルスのパルス幅の調整を行っている。
しかしながら、上述と同様に、高速記録化の際にはこのパルス幅調整の時間分解能を向上させることは困難である。
この場合に好適な実施形態を再び図１と図２に基づいて説明する。上述と同様の動作と機能を果たすものはその説明を省略する。
【００３５】
変調信号生成部４は、入力される記録データ信号Ｗｄａｔａのランレングスを計測し、マーク長Ｍ１，直前のスペース長Ｓ０，直後スペース長Ｓ１を付加時間設定部１５に供給する。同時に変調信号Ｍｏｄ１，Ｍｏｄ２の生成もこのＭ１，Ｓ０，Ｓ１に基づいて生成する。
付加時間設定部１５は、供給されるＭ１，Ｓ０，Ｓ１に対応する付加時間（Ｔｏ１，Ｔｏ２，Ｔｏ３及びＴｕ１，Ｔｕ２，Ｔｕ３）を選択して付加信号生成部１１へ供給する。
【００３６】
このようにすれば、隣接記録マークからの熱影響を考慮して照射エネルギーを調整することができ、より高精度な記録マークを形成することができる。
なお、各付加時間をより影響度の高いランレングスにより補正するようにすると、上述の効果を得た上で、回路の低減ができる。
すなわち、先頭パルスＴＰへの付加時間Ｔｏ１，Ｔｕ１を直前スペースＳ０とマーク長Ｍ１に従い設定し、最終パルスＬＰへの付加時間Ｔｏ３，Ｔｕ３をマーク長Ｍ１と直後スペース長Ｓ１に従い設定するようにすればよい。さらには、中間パルスＭＰへの付加時間Ｔｏ２，Ｔｕ２をマーク長Ｍ１に従い設定するようにしてもよい。
【００３７】
次に、上述したＬＤの接合容量の影響により光波形の立ち上がり／立ち下がりの遅れ（「なまり」と称する）が生じるＬＤを使用する場合に好適な実施形態を説明する。
これは、図１に示した光源駆動装置において、付加時間設定部１５により設定する付加時間をＬＤの接合容量への充放電電流にほぼ相当する分だけ加算するものである。
つまり、付加時間の加算分をΔｔとすれば、Δｔ・Ｉ３が接合容量への充電電流となるようにΔｔを設定する。
【００３８】
図４は、図１に示した付加時間設定部１５により設定する付加時間の説明に供する波形図である。
同図の（ｉ）に示すＬＤの駆動電流ＩＬＤの波形ａは駆動電流の立ち上がり時にオーバーシュート電流Ｉｏｓを付加しない場合であり、その波形ｂ〜ｄはオーバーシュート電流Ｉｏｓの付加時間を順次増加させた場合である。
同図の（ｉｉ）に示す光波形はその駆動電流ＩＬＤに対するそれぞれの光波形例である。その光波形ａは、ＬＤの接合容量への充電電流のため、立ち上がりがなまり、光波形ｂは付加したオーバシュート電流Ｉｏｓが丁度充電電流として充当された場合である。さらに付加時間を増加させた場合は光波形ｃ，ｄのように付加パワー分となり、先の実施形態と同様に、照射エネルギー分解能を向上させる機能を果たす。
【００３９】
このようにして生成して重畳されるオーバーシュート電流Ｉｏｓ及びアンダーシュート電流Ｉｕｓの一部は、駆動するＬＤの接合容量への充放電電流として充当されるため、それによる光波形の立ち上がり／立ち下がり時間の遅れ（なまり）を抑制することができ、さらに残りが加熱パルスに付加パワーを加算して、パルス幅分解能を向上させることなく、照射エネルギーの分解能を向上させることができるので、その結果、付加パルスも含め所望の光波形で発光させることができ、正確な記録マーク形成ができる。
【００４０】
なお、使用するＬＤによりこの接合容量は異なるため、充放電電流の充当分を使用するＬＤに適正になるよう電流値を設定するようにすると、過不足なく充放電電流として充当できるので、さらに理想的な光波形とすることができ、より正確な記録マーク形成ができる。本実施形態では重畳電流値設定部１６がその機能を果たす。また、オーバーシュート電流Ｉｏｓ及びアンダーシュート電流Ｉｕｓの付加時間を変更するようにしても同様の効果が得られる。本実施形態では付加時間設定部１５がその機能を果たす。もちろん、それらを組み合わせたものにしてもよい。
【００４１】
さらには、変化する照射レベル差に応じて、オーバーシュート電流Ｉｏｓ及びアンダーシュート電流Ｉｕｓの電流値あるいは付加時間を変更するようにするとさらによい。
つまり、変化する照射レベル差（例えば、Ｐｅ→Ｐｗ，Ｐｂ→Ｐｗ，Ｐｂ→Ｐｅ）により、ＬＤのカソード・アノード間の電位差の変化量が異なるため、充放電電流も異なる。よって、変化する照射レベル差に応じて、重畳時間（Ｔｏ１，Ｔｏ２，Ｔｏ３）を変更するようにすると、光波形の立ち上がり／立ち下がり時間の遅れ（なまり）をより正確に抑制することができる。また、電流値を変更するようにしても同様の効果が得られる。
【００４２】
図５は、この実施形態の情報記録装置の構成を示すブロック図である。
この情報記録装置は、ディジタルＬＳＩ２１から記録データ信号Ｗｄａｔａが出力され、記録データ信号ＷｄａｔａはＳｔｒａｔｅｇｙ（記録波形）生成部２２へ入力されて記録波形に変換してＬＤドライバ（ＬＤ−Ｄｒｉｖｅｒ部）２３へ送られて実際にレーザ駆動電流を変調する。
このようにして変調を受けたレーザ光の出力はＰｏｕｔとして光学系２５へ入り、一部はモニターとしてＦＳＰＤ２６に入射（Ｐｍｏｎ）し、ＩＶアンプ（ＩＶ−ＡＭＰ）２７によって電圧信号Ｓｍｏｎに変換される。
【００４３】
一方、Ｐｏｕｔの多くは記録媒体（メディア）２０の記録面（メディア面）へ照射されて、そのメディア面で反射して光学系２５を通って反射光ＰｄｅｔとしてＯＰＩＣ（検出ＩＣ）２８に入射し、ＯＰＩＣ２８で電圧変換され、その変換後の電圧信号ＳｉｇがＡＦＥ２９へ送られる。
ＡＦＥ２９は、アナログ信号として前処理を行い（各種マトリックス演算等）ディジタルＬＳＩ２１によってサーボ信号／ＲＦ信号等々に応じた処理がなされる。ここで、電圧信号ＳｍｏｎもＡＦＥ２９に入力されてディジタルＬＳＩ２１から制御されるサンプリング信号ＳＭＰによりディジタル化される。
そのディジタル化された値からディジタルＬＳＩ２１はＬＤ２４が適正なレーザ出力になるようにレーザ駆動電流をコントロールする。
【００４４】
図６は、図５に示すＡＦＥ２９の内部構成を少し詳しく示したブロック図である。図５の電圧信号Ｓｉｇは複数のアナログ信号であり、ＡＦＥ２９は、それらの信号からマトリックスアンプ（Ｍａｔｒｉｘ  ＡＭＰ）３０でマトリックス演算と増幅をして、ウォブル（ＷＢＬ）ＲＦ−ＡＧＣ３２，ＲＦ−ＡＧＣ３３，トラックカウント（Ｔｒａｃｋ  Ｃｏｕｎｔ）部３４，ＤＰＤ３５，ＯＰＣディテクタ（Ｄｅｔｅｃｔｏｒ）３６，ＤＦＣＴとその他のディテクタ（Ｄｅｔｅｃｔｏｒ）３７により、それぞれウォーブル，ＲＦ，トラック（Ｔｒａｃｋ），ＤＰＤ，ＯＰＣ，ＤＦＣＴ等々の信号を検出する。その他にシリアル（Ｓｅｒｉａｌ）Ｉ／Ｆ３１，チルトディテクタ（Ｔｉｌｔ  Ｄｅｔｅｃｔｏｒ）３８，ＷＢＬディテクタ３９，ＲＦイコライザ（Ｅｑｕａｌｉｚｅｒ）４０，サーボディテクタ（Ｓｅｒｖｏ  Ｄｅｔｅｃｔｏｒ）４１，Ａ／Ｄ４２も有する。
【００４５】
ここで、ＡＦＥ２９内部のフェーズディテクタ（Ｐｈａｓｅ−Ｄｅｔｅｃｔｏｒ）４３はテストモード１のときにＳｍｏｎとＳＭＰとを位相比較してその結果Ｐ−ＤｅｔをディジタルＬＳＩ２１へ入力する。
なお、テストモード１のときは記録データ信号Ｗｄａｔａを単純に「ハイ（Ｈ）」「ロー（Ｌ）」を繰り返す信号とし、その結果ＬＤドライバ２３の出力も再生レベルのパワーで同じように変調されるようなストラテジ（記録波形）に設定しておく。
【００４６】
ディジタルＬＳＩ２１では、ディレイコントロール部（Ｄｅｌａｙ  Ｃｏｎｔｒｏｌ）５１によってフェーズディテクタ４３から出力されたＰ−Ｄｅｔが最小になるようにＳＭＰのタイミングをコントロールする。このようにして最小となったタイミングをＰ−ＤｅｌａｙとしてディジタルＬＳＩ２１の内部レジスタに格納し、ディレイ部５２によってＳｍｏｎをサンプリングするときのＳＭＰ信号の遅延時間として使用する。
【００４７】
このようにすることにより、図７の（ａ）に示したように、Ｐｏｕｔに対してＳｍｏｎが遅れてくるため、Ｐｏｕｔのハイパワー（Ｈｉｇｈ−Ｐｏｗｅｒ）部をサンプリングしようとして、図７の（ｃ）に示すＳＭＰの実線部（ハイパワーサンプル：Ｈｉｇｈ−Ｐｏｗｅｒ  Ｓａｍｐｌｅ）でサンプリングしてしまうことによるサンプリング誤差が、遅延時間をキャリブレーションする為、ＳＭＰ信号は点線のタイミングに変更されて最適なタイミングでサンプリングできるようになり、レーザ光の検出精度を動作速度が向上したときでも上げることができるようになる。
【００４８】
また、テストモード２においてもテストモード１と同様にしてレーザ光は記録データ信号Ｗｄａｔａに従って単純に変調されるようにしている。
このときには、フェーズディテクタ４３はＡＦＥ２９の内部のＲＦ信号とＳＭＰとを位相比較してその結果Ｐ−ＤｅｔをディジタルＬＳＩ２１に入力する。
ディジタルＬＳＩ２１は、フェーズディテクタ４３の出力したＰ−Ｄｅｔが最小になるようにＳＭＰの遅延時間を変化させ、最小値となった遅延時間をＲＦ−Ｄｅｌａｙとして内部レジスタに格納する。
こうして格納されたＲＦ−Ｄｅｌａｙは実際の記録のときに記録データ信号Ｗｄａｔａを記録開始時刻より早めて出力する。このようにしてＲＦ信号の遅れが補正される。
【００４９】
図８はＳｍｏｎを検出しているときのタイミングを示す波形図であり、図９はＲＦ信号をサンプリングするときのタイミングを示す波形図である。
このようにすることにより、既記録領域の最後の位置が検出された時刻からＲＦ−Ｄｅｌａｙ前に記録データ信号Ｗｄａｔａを出力して記録開始しようとすることになる結果、実際にレーザ光がメディアに照射され記録開始の位置が正しく、既記録領域の最後に追加されて記録できるようになる。
【００５０】
つまり、記録データ信号Ｗｄａｔａ出力からメディアにレーザ光が照射されるまでの時間をＴ１、メディアからの反射光が検出されるまでの時間をＴ２としたとき、既記録領域の最後の位置を検出した時刻のＴ２時間前にディスクにレーザが照射されていなければならず、それは記録データ信号ＷｄａｔａではＴ１＋Ｔ２時間前になる。ＲＦ−Ｄｅｌａｙの検出方法からＲＦ−Ｄｅｌａｙ＝Ｔ１＋Ｔ２になる。
【００５１】
以上の説明は、テストモードを用意して自動的に最適な遅延時間を検出するものであるが、レーザの光出力を検出するために単に一定時間Ｓｍｏｎが遅れてくることを見込んだ値を設定しておくだけの場合でも効果はある。
但し、自動調整機構を持つ方がより精度が高くなる。また、ＲＦ−Ｄｅｌａｙに対しても同じように初期値として調べた値を設定しておくだけでも効果はある。この場合にも同様に自動調整を実施することにより精度を向上させることができる。
【００５２】
また、ディジタルＬＳＩは通常、レーザ光源を変調して複数のパルス列により記録するタイミングを生成する為、記録用のチャンネルクロックのＮ逓倍の高周波クロックを生成しているので、この高周波クロックを基準として遅延時間量を設定する。
但し、ストラテジ生成部２２に高周波クロック生成部を持つ場合もあり、そのときにはストラテジ生成部２２の高周波クロックを使用してより小さな遅延時間設定をしても良い。このときには最終的な微調整はＬＤドライバ２３側に持つことになり，ＬＤドライバ２３側はシリアル通信等により遅延時間を微調整する機能を有するようにする。
【００５３】
このようにして、光源を複数のパルス列で発光させた光により媒体を照射して記録マークを形成する光情報記録方法において、記録データにより記録マークを形成しない照射強度で光源を変調させ、光源をモニターするモニター部の出力と記録データとの遅延時間を保持し、その遅延時間だけ遅らせてモニター部の出力をサンプリングして光源の光強度を制御するので、高速に記録する場合の光源変調タイミングから光出力モニター出力までの遅れ時間の影響を無くすことができ、高速記録時にもモニターレベルを正しく取り込む事ができ、高速記録に適した光情報記録が実現できる。
【００５４】
また、光源を複数のパルス列で発光させた光により媒体を照射して記録マークを形成する光情報記録方法において、記録データにより記録マークを形成しない照射強度で光源を変調させ、記録媒体からの反射光強度を検出し、その検出結果と記録データとの遅延時間を保持し、その遅延時間だけ記録データを早めて出力するので、高速記録時における記録媒体から反射光として検知されたマーク位置と記録開始タイミングの時間的ずれが補正でき、高速記録に適した光情報記録が実現できる。
さらに、記録データを順次遅延させた遅延データとモニター部出力との遅延時間を検出し、のそ検出結果の最小遅延時間を保持し、最小遅延時間だけ遅らせてモニター部の出力をサンプリングして光源の光強度を制御するので、温度，ＩＣ等のばらつきにより変動してしまう遅延時間を自動的に補正できるようになり、高速記録に適した光情報記録が実現できる。
【００５５】
また、記録データを順次遅延させた遅延データと媒体からの反射光強度との遅延時間を検出し、その検出結果の最小遅延時間を保持し、その最小遅延時間だけ記録データを早めて出力するので、温度，ＩＣ等のばらつきにより変動してしまう遅延時間を自動的に補正できるようになり、高速記録に適した光情報記録が実現できる。
さらに、遅延時間の刻みを光源をパルス列で発光させる為のタイミングパルスとしているので、低コストにかつ精度が高く補正できるようになり、高速記録に適した光情報記録が実現できる。
【００５６】
また、遅延時間の刻みを上述の光源をパルス列で発光させる為のタイミングパルスにしているので、低コストにかつ精度が高く補正できるようになり、高速記録に適した光情報記録が実現できる。
さらに、パルス列の少なくとも一部のパルスの立ち上がり近傍後に所定パワーのパルスを所定時間付加し、その付加したパルスの幅を調整することにより記録マークの形成を制御するので、高速化に伴う時間的な誤差を補正することができるようになり高速記録に適した光情報記録が実現できる。
さらにまた、最小遅延時間検出を記録前に行うようにするので、記録直前の温度，各ＩＣ，光学部品及び使用メディア等の差による時間的誤差を再補正できるようになり、安定に高速記録を実現可能な光情報記録を提供できるようになる。
【００５７】
【発明の効果】
以上説明してきたように、この発明の光情報記録装置と光情報記録方法によれば、高速記録の際にも記録系の遅れ時間の影響を受けることなく且つ照射時間及び冷却時間の時間分解能を上げることなく、正確な記録マークの形成を行うことができる。
【図面の簡単な説明】
【図１】本発明の第一の実施形態である光源駆動装置の構成を示すブロック図である。
【図２】図１に示す光源駆動装置の各部信号の波形図の一例であり、本実施形態の記録方法を説明する図である。
【図３】図２に基づいて説明する付加パワーを加算した過熱パルスと照射エネルギーの関係を示す波形図である。
【図４】図１に示す付加時間設定部１５により設定する付加時間の説明に供する波形図である。
【図５】この発明の実施形態の情報記録装置の構成を示すブロック図である。
【図６】図５に示すＡＦＥ２９の内部構成を少し詳しく示すブロック図である。
【図７】Ｐｏｕｔに対してＳｍｏｎが遅延したときのＰｏｕｔのサンプリングの説明に供する波形図である。
【図８】Ｓｍｏｎを検出しているときのタイミングを示す波形図である。
【図９】ＲＦ信号をサンプリングするときのタイミングを示す波形図である。
【図１０】従来の光源駆動装置における光源を駆動する場合の問題を説明する図である。
【図１１】図１０に基づく説明に係る光波形の一例を示す図である。
【符号の説明】
１：光源駆動部          ２：照射レベル設定部
３：変調部              ４：変調信号生成部
５：加減算部            ６：電流駆動部
７：ＬＤ制御部          ８，８ａ，８ｂ，８ｃ：電流源
９，９ｂ，９ｃ，１４ａ，１４ｂ：スイッチ
１０：加算部            １１：付加信号生成部
１３ａ，１３ｂ：電流源
１５：付加時間設定部    １６：付加パワー設定部
１７：制御部            １８：付加電流生成部
１９：コントローラ      ２０：記録媒体
２１：ディジタルＬＳＩ  ２２：ストラテジ生成部
２３：ＬＤドライバ      ２４：ＬＤ
２５：光学系            ２６：ＦＳＰＤ
２７：ＩＶアンプ        ２８：ＯＰＩＣ
２９：ＡＦＥ            ３０：マトリックスＡＭＰ
３１：シリアルＩ／Ｆ    ３２：ＷＢＬ  ＲＦ−ＡＧＣ
３３：ＲＦ  ＡＧＣ      ３４：トラックカウント部
３５：ＤＰＤ            ３６：ＯＰＣディテクタ
３７：ＤＦＣＴ  ｅｔｃ．ディテクタ
３８：タイトルディテクタ
３９：ＷＢＬディテクタ  ４０：ＲＦイコライザ
４１：サーボディテクタ  ４２：Ａ／Ｄ
４３：フェーズディテクタ
５１：ディレイコントロール部
５２：ディレイ部        ２０１：ＬＤ駆動部
２０３：ＬＤ等価モデル
【図１】
2004273049.tif 000003
【図２】
2004273049.tif 000004
【図３】
2004273049.tif 000005
【図４】
2004273049.tif 000006
【図５】
2004273049.tif 000007
【図６】
2004273049.tif 000008
【図７】
2004273049.tif 000009
【図８】
2004273049.tif 000010
【図９】
2004273049.tif 000011
【図１０】
2004273049.tif 000012
【図１１】
2004273049.tif 000013